(57)【要約】【課題】仕切り板の下辺を設置面に対して当接又は所定隙間を空けた状態で支持できると共に、仕切り板を安定して保持することができ、レイアウトの自由度も高めることができる、パーテーション用支持ブロック、及び、パーテーションを提供する。【解決手段】このパーテーション用支持ブロック１０は、石材又はコンクリートでできていて、全体として角柱状をなす本体２０と、本体２０の少なくとも１つの面に、一対の対向する辺に至る長さで設けられた、直線状に伸びる保持溝３０とを備え、保持溝３０は、パーテーション用の仕切り板４０の縁部４１が挿入保持できる幅及び深さを有している。【選択図】図５
0003228285.tif 000002
【実用新案登録請求の範囲】
【請求項１】
石材又はコンクリートでできていて、全体として角柱状をなす本体と、
前記本体の少なくとも１つの面に、一対の対向する辺に至る長さで設けられた、直線状に伸びる保持溝とを備え、
前記保持溝は、パーテーション用の仕切り板の縁部が挿入保持できる幅及び深さを有していることを特徴とするパーテーション用支持ブロック。
【請求項２】
前記保持溝は、前記角柱状をなす本体の全ての側面の、両端面に位置する対向辺の中央部を結ぶように形成されている、請求項１記載のパーテーション用支持ブロック。
【請求項３】
前記角柱状をなす本体の両端面の形状が正方形又は長方形である、請求項２記載のパーテーション用支持ブロック。
【請求項４】
前記本体は立方体をなす、請求項３記載のパーテーション用支持ブロック。
【請求項５】
前記本体は、石材からなり、前記保持溝の内面を除く外面が、研磨された面をなしている、請求項１〜４のいずれか１項に記載のパーテーション用支持ブロック。
【請求項６】
請求項１〜５のいずれか１項に記載のパーテーション用支持ブロックと、前記パーテーション用支持ブロックの保持溝に縁部を挿入されて支持される仕切り板とを備えていることを特徴とするパーテーション。
【請求項７】
前記パーテーション用支持ブロックの保持溝の内面と、前記仕切り板の縁部の外面との間に介装される、クッション性を有するシート部材を更に備えている、請求項６記載のパーテーション。
【請求項８】
前記パーテーション用支持ブロックの保持溝が上下方向を向いた状態で、前記仕切り板の縁部を前記保持溝に挿入する際、前記保持溝の下方部分に挿入されて、前記仕切り板の縁部を受けることにより、前記仕切り板が設置面から所定距離だけ離れて支持されるようにする調整板を更に備えている、請求項６又は７記載のパーテーション。
【請求項９】
前記パーテーション用支持ブロックは、請求項４に記載されたパーテーション用支持ブロックである、請求項６〜８のいずれか１項に記載のパーテーション。
【考案の詳細な説明】
【技術分野】
【０００１】
本考案は、パーテーション用の仕切り板を保持するための、パーテーション用支持ブロック、及び、同パーテーション用支持ブロックを用いたパーテーションに関する。
【背景技術】
【０００２】
近年、コロナウイルス等に起因する感染症対策の一環として、例えば、オフィスや、店舗、公共機関、金融機関等の、机の上や、カウンターの上、フロアの上などの設置面に、パーテーション用の仕切り板を設置して、会話時や接客時等で生じる飛沫を抑制することが多くなっている。また、個人のプライバシー保護の観点からも、パーテーション用の仕切り板が設置されることもある。
【０００３】
従来の、仕切り板等を支持するためのものとして、例えば、下記特許文献１には、基板の表面側にＬ形壁を、一辺が基板の面方向に沿い他辺が基板上に突出するように設け、このＬ形壁の内角側で長さ方向に沿ってプレート類を挿入する溝を形成した、プレート類の支持具が記載されている。
【０００４】
また、下記特許文献２には、形態をスツール（オフィス等の椅子を意味する）タイプにして、その側部に、パネル端部の嵌合溝を形成した、パーテーションにおける端部支持装置が記載されている。この端部支持装置は、クッション部材等で形成され、外周面が曲面状をなしたラウンドスツールとなっている。
【先行技術文献】
【特許文献】
【０００５】
【特許文献１】実開平６−１７５３５号公報
【特許文献２】実用新案登録第３０８６１７２号公報
【考案の概要】
【考案が解決しようとする課題】
【０００６】
所定の設置面に、仕切り板を設置する際には、一般的には、仕切り板の下辺を設置面に当接させるが、仕切り板の下辺と設置面との間に、所定の隙間を設けて設置することも考えられる。後者の場合は、仕切り板の下辺と設置面との間に設けた、所定の隙間を介して、例えば、書類や商品等を受け渡すことが可能となるので、利便性が向上する。
【０００７】
上記特許部文献１の支持具の場合、支持具の基板を設置面に設置するか（特許文献１の図４参照）、或いは、支持具の、Ｌ型壁の起立壁を設置面に設置する（特許文献１の図２参照）。しかしながら、いずれの場合でも、プレート類の下辺と設置面との間に、上記のような書類や商品等を受け渡し可能な、隙間を設けることはできず、使い勝手が良いとは言えない。
【０００８】
また、特許文献１の支持具は、基板の表面側から立設したＬ形壁のみに、プレート類の挿入用の溝が形成されているので、基本的に、一対の支持具によって、一枚のプレート類のみを支持する構造となっており（特許文献１の図２及び図４参照）、複数枚のプレート類を支持できず、レイアウトの自由度は低い。
【０００９】
また、特許文献２の端部支持装置は、形態がスツールタイプであるので、オフィスや店舗の、机やカウンターの上等に設置することは想定していない。仮に、パネル下辺と設置面との間に隙間を設けるべく、嵌合溝を水平方向に向けて、端部支持装置を机の上等に設置しても、端部支持装置の外周面は曲面状をなしているので、端部支持装置が回転してしまい、パネルを安定して支持することはできない。
【００１０】
したがって、本考案の目的は、仕切り板の下辺を設置面に対して、当接させた状態や、所定の隙間を空けた状態で支持することができると共に、仕切り板を安定して保持することができ、更にレイアウトの自由度も高めることができる、パーテーション用支持ブロック、及び、パーテーションを提供することにある。
【課題を解決するための手段】
【００１１】
上記目的を達成するため、本考案のパーテーション用支持ブロックは、石材又はコンクリートでできていて、全体として角柱状をなす本体と、前記本体の少なくとも１つの面に、一対の対向する辺に至る長さで設けられた、直線状に伸びる保持溝とを備え、前記保持溝は、パーテーション用の仕切り板の縁部が挿入保持できる幅及び深さを有していることを特徴とする。
【００１２】
上記考案によれば、保持溝を上下方向に向けて、設置面に本体を設置した状態で、保持溝に、仕切り板の幅方向側の縁部を挿入保持することで、仕切り板の下辺を、設置面に対して当接又は近接した状態、或いは所定隙間を設けた状態で支持することができる。
【００１３】
一方、保持溝を水平方向に向けて、設置面に本体を設置した状態で、仕切り板の下辺側の縁部を保持溝に挿入保持することで、仕切り辺の下辺を、設置面に対して所定の隙間を設けた状態で支持することができる。
【００１４】
このように、この支持ブロックでは、保持溝を上下方向に向けるか又は水平方向に向けることで、仕切り板を設置面に対して当接、或いは、所定隙間を向けた状態で支持して、その支持態様を変えることができるので、利用目的に応じて、仕切り板の支持態様を適宜変更することができ、使い勝手を向上させることができる。
【００１５】
また、本体は、角柱状をなしているので、所定の面を下向きにして、設置面に設置した場合に、本体が転がることを防止することができ、仕切り板を安定して支持することができる。
【００１６】
更に、本体の２つ以上の面に、保持溝が設けられている場合には、複数枚の仕切り板を支持することができ、パーテーションのレイアウトの自由度を高めることができる。
【００１７】
また、本体が石材で形成されている場合には、本体を十分な重さとすることができるので、仕切り板をより安定して支持することができる。
【００１８】
一方、本体がコンクリートで形成されている場合には、型枠で製造可能となるので、支持ブロックの生産性及び量産性を高めることができる。
【００１９】
本考案のパーテーション用支持ブロックにおいては、前記保持溝は、前記角柱状をなす本体の全ての側面の、両端面に位置する対向辺の中央部を結ぶように形成されていることが好ましい。
【００２０】
この態様によれば、保持溝は、角柱状をなす本体の全ての側面の、両端面に位置する対向辺の中央部を結ぶように形成されているので、複数枚の仕切り板を保持溝に挿入保持することができ、パーテーションのレイアウトの自由度をより高めることができる。
【００２１】
また、保持溝が、各側面の、両端面に位置する対向辺の中央部を結ぶように形成されているので、保持溝の周縁部の強度を、バランスよく均等にすることができ（保持溝が、各側面のどちらか一側縁に偏倚して形成されている場合には、保持溝の周縁部の肉厚が変動し、強度にバラツキが生じる）、仕切り板をより一層安定して支持することができる。
【００２２】
更に、保持溝が、各側面の、両端面に位置する対向辺の中央部を結ぶように形成されているので、複数の支持ブロックを組み合わせて利用する際に、方向性が生じにくく使い勝手が良い（保持溝が、各側面のどちらか一側縁に偏倚して形成されている場合には、方向性が生じる）。
【００２３】
本考案のパーテーション用支持ブロックにおいては、前記角柱状をなす本体の両端面の形状が正方形又は長方形であることが好ましい。
【００２４】
この態様によれば、角柱状をなす本体の両端面の形状が正方形又は長方形であるので、隣接する各側面が直交することになる。そのため、例えば、一対の支持ブロックを、所定の保持溝を設けた面どうしが対向するように配置して、仕切り板の幅方向両側の縁部を各支持ブロックの保持溝に挿入保持するこことで、一枚の仕切り板を支持すると共に、各支持ブロックの、仕切り板を支持した面に対して隣接した面の保持溝に、仕切り板をそれぞれ挿入保持することで、全体としてコ字枠状をなすようなパーテーションとすることができる。
【００２５】
本考案のパーテーション用支持ブロックにおいては、前記本体は立方体をなすことが好ましい。
【００２６】
この態様によれば、本体は立方体をなしているので、保持溝を水平方向に向けて、仕切り板の下辺を保持溝に挿入保持する際に、本体のどの面を下向きにして設置面に設置しても、仕切り壁の下辺と設置面との隙間の高さを一定に保つことができ、使い勝手が良い（立方体以外だと、高さが変動する）。
【００２７】
本考案のパーテーション用支持ブロックにおいては、前記本体は、石材からなり、前記保持溝の内面を除く外面が、研磨された面をなしていることが好ましい。
【００２８】
この態様によれば、本体は石材からなるので、本体を十分な重さとすることができ、仕切り板を安定して支持することができると共に、保持溝の内面を除く外面が、研磨された面をなしているので、テーブル等の接地面を傷つけることがなく、また、見栄えが良く高級感が増すため、例えば、高級な店舗等に利用しても違和感を生じにくくすることができる。
【００２９】
一方、本考案のパーテーションは、上記のパーテーション用支持ブロックと、前記パーテーション用支持ブロックの保持溝に縁部を挿入されて支持される仕切り板とを備えていることを特徴とする。
【００３０】
上記考案によれば、上述のパーテーション用支持ブロックで説明したのと同様に、仕切り板の縁部を保持溝に挿入保持することで、仕切り板の下辺を、設置面に対して、当接した状態、或いは、所定の隙間を空けた状態で支持することができ、利用目的に応じて、仕切り板の支持態様を適宜変更することができ、使い勝手を向上させることができる。
【００３１】
本考案のパーテーションにおいては、前記パーテーション用支持ブロックの保持溝の内面と、前記仕切り板の縁部の外面との間に介装される、クッション性を有するシート部材を更に備えていることが好ましい。
【００３２】
この態様によれば、パーテーション用支持ブロックの保持溝の内面と、仕切り板の縁部の外面との間に介装される、クッション性を有するシート部材を更に備えているので、支持ブロックの保持溝の内面と、仕切り板の縁部の外面との間に、多少の隙間があっても、その隙間にクッション性を有するシート部材が変形しつつ入り込むため、保持溝内に、仕切り板の縁部をガタツキを少なくした状態で支持することができる。また、仕切り板を、支持ブロックの保持溝内に挿入する際、仕切り板の縁部の外面が、シート部材で保護されるので、仕切り板の縁部の外面を、傷つきにくくすることができる。
【００３３】
本考案のパーテーションにおいては、前記パーテーション用支持ブロックの保持溝が上下方向を向いた状態で、前記仕切り板の縁部を前記保持溝に挿入する際、前記保持溝の下方部分に挿入されて、前記仕切り板の縁部を受けることにより、前記仕切り板が設置面から所定距離だけ離れて支持されるようにする調整板を更に備えていることが好ましい。
【００３４】
この態様によれば、パーテーション用支持ブロックの保持溝が上下方向を向いた状態で、仕切り板の縁部を保持溝に挿入する際、保持溝の下方部分に挿入されて、仕切り板の縁部を受けることにより、仕切り板が設置面から所定距離だけ離れて支持されるようにする調整板を更に備えているので、保持溝を上下方向に向けた状態で、本体を設置面に設置した場合でも、仕切り板の下辺と設置面との間に、所定の隙間を設けた状態で支持することができる。また、調整板の高さを適宜変更することで、仕切り板の下辺と設置面との間の、隙間の寸法を、柔軟に調整することができる。
【００３５】
本考案のパーテーションにおいては、前記パーテーション用支持ブロックは、前記本体は立方体をなすパーテーション用支持ブロックであることが好ましい。
【００３６】
この態様によれば、支持ブロックの本体は立方体をなしているので、保持溝を水平方向に向けて、仕切り板の下辺を保持溝に挿入保持する際に、本体のどの面を下向きにして設置面に設置しても、仕切り壁の下辺と設置面との隙間の高さを一定に保つことができ、使い勝手が良い。
【考案の効果】
【００３７】
本考案によれば、保持溝を上下方向に向けるか又は水平方向に向けることで、仕切り板の支持構造を変更することができるので、利用目的に応じて、仕切り板の支持構造を適宜変更することができ、使い勝手を向上させることができる。また、本体は、角柱状をなしているので、所定の面を下向きにして、設置面に設置した場合に、本体が転がることを防止することができ、仕切り板を安定して支持することができる。更に、本体の２つ以上の面に、保持溝が設けられている場合には、複数枚の仕切り板を支持することができ、パーテーションのレイアウトの自由度を高めることができる。
【図面の簡単な説明】
【００３８】
【図１】本考案に係るパーテーション用支持ブロックの、一実施形態を示しており、（Ａ）はその斜視図、（Ｂ）は（Ａ）とは異なる方向から見た場合の斜視図である。
【図２】同パーテーション用支持ブロックを示しており、（Ａ）はその平面図、（Ｂ）は正面図である。
【図３】本考案に係るパーテーションの一実施形態を示しており、保持溝を水平方向に向けた状態で、パーテーション用支持ブロックを設置面に設置した場合の、斜視図である。
【図４】図３に示すブロック設置状態で仕切り板を支持した場合を示しており、（Ａ）は１枚の仕切り板を支持した状態の斜視図、（Ｂ）は２枚の仕切り板を支持した状態の斜視図である。
【図５】本考案に係るパーテーションにおいて、保持溝を上下方向に向けた状態で、パーテーション用支持ブロックを設置面に設置した場合の、斜視図である。
【図６】図５に示すブロック設置状態で仕切り板を支持した場合を示しており、（Ａ）は１枚の仕切り板を支持した状態の斜視図、（Ｂ）は３枚の仕切り板を支持した状態の斜視図である。
【図７】パーテーションの他の使用例を示す平面説明図である。
【考案を実施するための形態】
【００３９】
（パーテーション用支持ブロックの一実施形態）
以下、図面を参照して、本考案に係るパーテーション用支持ブロックの、一実施形態について説明する。
【００４０】
図１（Ａ），（Ｂ）に示すように、この実施形態のパーテーション用支持ブロック１０（以下、単に「支持ブロック１０」ともいう）は、石材又はコンクリートでできていて、全体として角柱状をなす本体２０と、本体２０の少なくとも１つの面に、一対の対向する辺に至る長さで設けられた、直線状に伸びる保持溝３０とを備え、図３に示すように、保持溝３０は、パーテーション用の仕切り板４０（以下、単に「仕切り板４０」ともいう）の縁部４１が挿入保持できる幅及び深さを有している。
【００４１】
この実施形態の場合、角柱状をなす本体２０の、両端面の形状が正方形となっていると共に、本体２０は立方体（正六面体）をなしている。すなわち、この本体２０は、向かい合う面どうしが互いに平行で、かつ、隣接する面どうしが互いに直交するようになっている。
【００４２】
図１（Ａ）に示すように、この実施形態では、周方向に沿って配置された４つの面が、側面２１をなし、これらの４つの側面２１に対して、上下方向に直交して配置された２つの面が、端面２３，２３をなしている。また、各面２１，２３は、いずれも正方形となっている。なお、各面２１，２３の４つの角部は、丸みを帯びたＲ状をなしていることが好ましい。
【００４３】
また、図１（Ａ）及び図２（Ｂ）に示すように、各側面２１の、両端面２３，２３に位置する一対の対向する辺、すなわち、各側面２１の、上下方向（高さ方向）に位置する一対の対向する辺が、第１対向辺２５，２５となっている。なお、これらの第１対向辺２５，２５が、本発明における「対向辺」をなしている。
【００４４】
更に、図１（Ａ）及び図２（Ｂ）に示すように、各側面２１の、一対の第１対向辺２５，２５に対して直交する、一対の対向する辺、すなわち、各側面２１の、幅方向（水平方向）に位置する一対の対向する辺が、第２対向辺２７，２７となっている。
【００４５】
また、保持溝３０は、角柱状をなす本体２０の全ての側面２１の、両端面２３，２３に位置する対向辺２５，２５の中央部を結ぶように形成されている。この実施形態の保持溝３０は、各側面２１において、上下方向に位置する第１対向辺２５，２５の、幅方向の中央部どうしを結ぶように、一定幅で且つ一定深さでスリット状に形成されている。言い換えると、この保持溝３０は、各側面２１の高さ方向全域（一方の端面２３から他方の端面２３に至る範囲）に亘って形成されている。
【００４６】
なお、図１（Ａ），（Ｂ）に示すように、各保持溝３０は、その上下方向（端面２３，２３側）が開口すると共に、側方（側面２１側）も開口しており、図３や図５に示すように、仕切り板４０の縁部４１を、上下方向側の開口、及び、側方の開口から挿入可能となっている。
【００４７】
また、各保持溝３０は、図２（Ａ）に示すように、本体２０を端面２３側から見たときに、各側面２１の外面の幅方向中央部から、同側面２１に対して直交するように、且つ、本体２０の中心Ｃに向けて伸びている。ただし、各保持溝３０は、本体２０の中央部２９（二点鎖線で示す部分）より内側には伸びていない。また、各保持溝３０の幅Ｗ１や深さＤは、すべて同一となっている（図２（Ａ），（Ｂ）参照）。
【００４８】
なお、図２（Ａ）に示すように、側面２１の幅Ｗ２を１としたとき、保持溝３０の深さＤ（保持溝３０の開口から底部までの長さ）は、０．２〜０．４であることが好ましく、０．２５〜０．３５であることが好ましく、０．３であることが最も好ましい。
【００４９】
上記本体２０は、この実施形態の場合、花崗岩（いわゆる白石、黒石等）や、大理石等の石材から形成されている。また、本体２０の、保持溝３０の内面３１を除く外面（各側面２１及び両端面２３，２３）は、研磨された面をなしている。保持溝３０の内面３１も研磨してもよいが、仕切り板４０の縁部４１を挿入したとき、抜けにくくするため、研磨されていない方が好ましい。なお、本体は、石材ではなく、コンクリートから形成されるものであってもよい。本体２０の外面が研磨された面をなしていることにより、テーブル等の接地面に設置したとき、接地面が傷つくことを防止できる。
【００５０】
更に、この実施形態における本体２０は、立方体とされ、四角柱状をなしているが、例えば、三角柱状や、五角柱状、六角柱状（図７参照）、八角柱状等であってもよく、全体として角柱状をなしていればよい。また、この実施形態では、角柱状をなす本体の両端面２３，２３の形状、及び側面２１の形状が、正方形となっているが、両端面２３，２３の形状、及び側面２１の形状は、長方形であってもよい。
【００５１】
更に、この実施形態では、各側面２１の幅方向中央部に、一つの保持溝３０のみが形成されているが、各側面に二つ以上の保持溝を形成してもよい。なお、この実施形態における保持溝３０は、各側面２１の、一方の端面２３から他方の端面２３に至る高さ方向全域に亘って形成されているが、保持溝としては、例えば、一方の端面２３から他方の端面２３の手前までの、所定長さで形成してもよい。
【００５２】
（パーテーションの一実施形態）
以下、本考案に係るパーテーションの、一実施形態について説明する。
【００５３】
図３及び図５に示すように、この実施形態のパーテーション１００は、上記支持ブロック１０と、支持ブロック１０の保持溝３０に、縁部４１を挿入されて支持される仕切り板４０とを備えている。
【００５４】
図４及び図６に示すように、この実施形態の仕切り板４０は、水平方向に長く伸びる、一定厚さの長板状（長方形状）をなしている。この仕切り板４０の厚さは、支持ブロック１０の保持溝３０に挿入可能な寸法となっている。なお、仕切り板４０の４つの角部は、丸みを帯びたＲ状をなしていることが好ましい。また、仕切り板の形状は、例えば、正方形状の板状等であってもよい。
【００５５】
上記仕切り板４０としては、例えば、アクリル樹脂や、発泡スチロール等の合成樹脂材料からなる樹脂板や、段ボール板、金属板、肉厚の紙等を採用することができるが、透明のアクリル板であることが好ましい。
【００５６】
更に図５に示すように、この実施形態のパーテーション１００においては、支持ブロック１０の保持溝３０の内面と、仕切り板４０の縁部４１の外面との間に介装される、クッション性を有するシート部材５０を更に備えている。
【００５７】
この実施形態のシート部材５０は、例えば、エチレン酢酸ビニル（ＥＶＡ）や、ゴム材料、発泡樹脂材料、不織布、織布等からなる薄肉シート状をなしている。そして、図５に示すように、シート部材５０を二つ折りにして、仕切り板４０の縁部４１の外面を挟み込み、その状態で、シート部材５０ごと、仕切り板４０の縁部４１が、支持ブロック１０の保持溝３０内に圧入されるようなっている。
【００５８】
また、図５に示すように、この実施形態のパーテーション１００は、支持ブロック１０の保持溝３０が上下方向を向いた状態で、仕切り板４０の縁部４１を保持溝３０に挿入する際、保持溝３０の下方部分に挿入されて、仕切り板４０の縁部４１を受けることにより、仕切り板４０が設置面１から所定距離だけ離れて支持されるようにする調整板６０を更に備えている。
【００５９】
図５に示すように、この実施形態の調整板６０は、所定厚さで形成された四角形の板状をなしており、例えば、アクリル樹脂等の合成樹脂材料や金属板等から形成されている。なお、この調整板６０の高さは、支持ブロック１０の保持溝３０の高さＨ（図２（Ｂ）参照）よりも低く形成されている。
【００６０】
また、調整板６０の幅Ｗ３（図５参照）は、支持ブロック１０の保持溝３０の深さＤ（図２（Ａ）参照）よりも大きく形成されている。そのため、図６（Ａ），（Ｂ）に示すように、支持ブロック１０の保持溝３０に調整板６０を挿入した状態では、保持溝３０の側方開口から、調整板６０が所定長さ突出するようになっている。
【００６１】
更に、この実施形態においては、調整板６０の外周にも、仕切り板４０の縁部４１の外面に配置されるシート部材５０と同様の、クッション性を有するシート部材５５が外装されるようになっている。そして、図５に示すように、シート部材５５を二つ折りにして、調整板６０の厚さ方向両側面を挟み込み、その状態で、シート部材５５ごと、調整板６０が、支持ブロック１０の保持溝３０の下方部分に挿入されるようなっている。
【００６２】
（作用効果）
次に、上記構成からなる支持ブロック１０及びパーテーション１００の作用効果について説明する。
【００６３】
支持ブロック１０は、例えば、オフィスや、店舗、公共機関、金融機関等の、机の上や、カウンターの上、フロアの上などの設置面１に、仕切り板４０を設置するために用いられる。
【００６４】
図３及び図４には、支持ブロック１０の保持溝３０を、水平方向に向けた状態で、仕切り板４０を支持する場合が示されている。
【００６５】
すなわち、図３に示すように、本体２０の所定の側面２１を下向きにして、設置面１上に設置することで、上向きの側面２１に形成した保持溝３０を水平方向に向けて、本体２０を設置面１に設置する。
【００６６】
次に、シート部材５０を二つ折りにして、仕切り板４０の下辺側の縁部４１の外面を挟み込む。そして、シート部材５０ごと、仕切り板４０の下辺側の縁部４１を、支持ブロック１０の保持溝３０内に挿入していく。すると、シート部材５０が、保持溝３０の内面３１と、仕切り板４０の縁部４１の外面との間に挟み込まれていく。そして、保持溝３０の底部に、シート部材５０を介して仕切り板４０が当接するまで、仕切り板４０を押し込む。すると、図４（Ａ），（Ｂ）に示すように、シート部材５０を介して、仕切り板４０を、支持ブロック１０の保持溝３０によって支持されて、仕切り板４０の下辺と、設置面１との間に、所定の隙間を設けることができる。この状態では、保持溝３０の内面３１と、仕切り板４０の縁部４１の外面との間に、シート部材５０が介装される。
【００６７】
なお、図４（Ａ）には、一枚の仕切り板４０を一対の支持ブロック１０で支持する場合が示されている。この場合には、まず、一対の支持ブロック１０，１０を所定間隔を空けて配置すると共に、保持溝３０，３０を水平方向に向けて且つ保持溝３０，３０どうしが同一直線上となるように配置する。そして、一対の支持ブロック１０，１０の各保持溝３０に、１枚の仕切り板４０の下辺の、幅方向両側部の縁部４１，４１がそれぞれ挿入されて保持されるようになっている。
【００６８】
一方、図４（Ｂ）には、２枚の仕切り板４０，４０を、３つの支持ブロック１０で支持する場合が示されている。この場合には、まず、３つの支持ブロック１０を所定間隔を空けて配置すると共に、各保持溝３０を水平方向に向けて且つ保持溝３０，３０どうしが同一直線上となるように配置する。そして、２枚の仕切り板４０，４０の下辺の、対向する側部の縁部４１，４１が、３つの支持ブロック１０のうち、中央に配置された支持ブロック１０の保持溝３０にそれぞれ挿入されて保持されると共に、２枚の仕切り板４０，４０の下辺の、幅方向外側の縁部４１，４１が、３つの支持ブロック１０のうち、外側に配置された支持ブロック１０，１０の保持溝３０，３０に挿入されて保持される。
【００６９】
図５及び図６には、支持ブロック１０の保持溝３０を、上下方向に向けた状態で、仕切り板４０を支持する場合が示されている。
【００７０】
すなわち、図５に示すように、本体２０の一方の端面２３を下向きにして、設置面１上に設置することで、各側面２１に形成した保持溝３０を上下方向に向けて、本体２０を設置面１に設置する。
【００７１】
上記状態で、シート部材５５を二つ折りにして調整板６０を挟み込んで、シート部材５５ごと、調整板６０を保持溝３０の下方部分に挿入していく。そして、調整板６０の幅方向一側部が、シート部材５５を介して保持溝３０の底部に当接するまで、調整板６０を押し込む。なお、調整板６０の下辺を、保持溝３０の下方開口に整合する位置となるように位置合わせする。
【００７２】
次に、シート部材５０を二つ折りにして、仕切り板４０の幅方向一側部の縁部４１の外面を挟み込む。そして、シート部材５０ごと、仕切り板４０の幅方向一側部の縁部４１を、支持ブロック１０の保持溝３０内に挿入していき、保持溝３０の底部に、シート部材５０を介して仕切り板４０が当接し、かつ、調整板６０の上辺に、仕切り板４０の下辺を当接するように、仕切り板４０を押し込む。すると、図６（Ａ），（Ｂ）に示すように、調整板６０の下辺が設置面１に当接すると共に、調整板６０の上辺に仕切り板４０が当接して、調整板６０によって仕切り板４０の荷重を受け止めつつ、仕切り板４０の高さが調整されて、仕切り板４０の下辺と、設置面１との間に、所定の隙間が設けられた状態で、仕切り板４０が、支持ブロック１０の保持溝３０によって支持される。
【００７３】
なお、図６（Ａ）には、一枚の仕切り板４０を一対の支持ブロック１０で支持する場合が示されている。この場合には、まず、一対の支持ブロック１０，１０を所定間隔を空けて配置すると共に、保持溝３０，３０を上下方向に向けて且つ保持溝３０，３０どうしが互いに対向する向きとなるように配置する。そして、一対の支持ブロック１０，１０の保持溝３０，３０に、調整板６０，６０を介して、１枚の仕切り板４０の下辺の、幅方向両側部の縁部４１，４１がそれぞれ挿入されて保持されるようになっている。
【００７４】
一方、図６（Ｂ）には、３枚の仕切り板４０を、４つの支持ブロック１０によって、全体として略コ字枠状をなすように支持する場合が示されている。この場合には、まず、４つの支持ブロック１０を、四角形の各角部に位置するように所定間隔を空けてそれぞれ配置する。それと共に、隣接配置された支持ブロック１０，１０の保持溝３０，３０を、上下方向に向けて、且つ、保持溝３０，３０どうしが互いに対向する向きとなるように配置する。そして、隣接配置された支持ブロック１０，１０の保持溝３０，３０に、調整板６０，６０を介して、３枚の仕切り板４０の下辺の、幅方向両側部の縁部４１，４１がそれぞれ挿入されて保持されて、３枚の仕切り板４０が、４つの支持ブロック１０によって、全体として略コ字枠状をなすように支持されるようになっている。
【００７５】
また、図７に示すように、仕切り板４０を支持してもよい。
【００７６】
この場合、六角柱状をなした、パーテーション用支持ブロック１０Ａ（以下、単に「支持ブロック１０Ａ」ともいう）を有している。また、この支持ブロック１０Ａの外側には、支持ブロック１０Ａの各側面２１に対して平行となるように、支持ブロック１０の側面２１が配置されて、支持ブロック１０Ａの外側に、６個の支持ブロック１０が周方向に均等な間隔を空けて配置されている。
【００７７】
更に、支持ブロック１０Ａの各側面２１に形成した保持溝３０に、仕切り板４０の幅方向一側部の縁部４１を挿入して保持させると共に、各支持ブロック１０の、支持ブロック１０Ａの側面２１に対向する、側面２１に形成した保持溝３０に、各仕切り板４０の幅方向他側部の縁部４１を挿入して保持させることで、６つの空間を画成したパーテーション１００Ａが構成されるようになっている。
【００７８】
そして、この支持ブロック１０においては、図５及び図６に示すように、保持溝３０を上下方向に向けて、設置面１に本体２０を設置した状態で、保持溝３０に、仕切り板４０の幅方向側の縁部４１を挿入保持することで、調整板６０を介して、仕切り板４０の下辺を、設置面１に対して所定隙間を設けた状態で支持することができる。
【００７９】
一方、図３及び図４に示すように、保持溝３０を水平方向に向けて、設置面１に本体２０を設置した状態で、仕切り板の４０下辺を保持溝３０に挿入保持することで、仕切り板４０の下辺を、設置面１に対して所定の隙間を設けた状態で支持することができる。
【００８０】
上記のように、この支持ブロック１０においては、保持溝３０を上下方向に向けるか又は水平方向に向けることで、仕切り板４０を設置面１に対して当接した状態、或いは、所定隙間を向けた状態で支持して、その支持態様を変えることができるので、利用目的に応じて、仕切り板４０の支持態様を適宜変更することができ、使い勝手を向上させることができる。
【００８１】
また、本体２０は、角柱状をなしているので、所定の面を下向きにして、設置面１に設置した場合に、本体２０が転がることを防止することができ、仕切り板４０を安定して支持することができる。
【００８２】
更に、本体２０の２つ以上の面に、保持溝３０が設けられている場合には、図６（Ｂ）に示すように、複数枚の仕切り板４０を支持することができ、パーテーションのレイアウトの自由度を高めることができる。
【００８３】
また、本体２０が石材で形成されている場合には、本体２０を十分な重さとすることができるので、仕切り板４０をより安定して支持することができる。
【００８４】
なお、本体２０がコンクリートで形成されている場合には、型枠で製造可能となるので、支持ブロック１０の生産性及び量産性を高めることができる。
【００８５】
また、この実施形態においては、図１及び図２に示すように、保持溝３０は、角柱状をなす本体２０の全ての側面２１の、両端面２３，２３に位置する対向辺２５，２５の中央部を結ぶように形成されている。そのため、図６（Ｂ）に示すように、複数枚の仕切り板４０を保持溝３０に挿入保持することができ、パーテーションのレイアウトの自由度をより高めることができる。
【００８６】
また、保持溝３０が、各側面２１の、両端面２３，２３に位置する対向辺２５，２５の中央部を結ぶように形成されているので、保持溝３０の周縁部の強度を、バランスよく均等にすることができ（保持溝３０が、各側面２１のどちらか一側縁に偏倚して形成されている場合には、保持溝３０の周縁部の肉厚が変動し、強度にバラツキが生じる）、仕切り板４０をより一層安定して支持することができる。
【００８７】
更に、保持溝３０が、各側面２１の、両端面２３，２３に位置する対向辺２５，２５の中央部を結ぶように形成されているので、図４や、図６、図７等に示すように、複数の支持ブロック１０を組み合わせて利用する際に、方向性が生じにくく使い勝手が良い（保持溝が、各側面のどちらか一側縁に偏倚して形成されている場合には、方向性が生じる）。
【００８８】
また、この実施形態においては、図２（Ａ）に示すように、角柱状をなす本体２０の両端面２３，２３の形状が正方形をなしているので、隣接する各側面２１が直交することになる。そのため、例えば、図６（Ｂ）に示すように、一対の支持ブロック１０，１０を、所定の保持溝３０を設けた面どうしが対向するように配置して、仕切り板４０の幅方向両側の縁部４１を、各支持ブロック１０の保持溝３０に挿入保持するこことで、一枚の仕切り板４０を支持すると共に、各支持ブロック１０の、仕切り板４０を支持した面に対して隣接した側面２１の保持溝３０に、仕切り板４０をそれぞれ挿入保持することで、全体としてコ字枠状をなすようなパーテーションとすることができる。
【００８９】
更に、この実施形態においては、図１に示すように、本体２０は立方体をなしている。そのため、保持溝３０を水平方向に向けて、仕切り板４０の下辺を保持溝３０に挿入保持する際に、本体２０のどの側面２１を下向きにして設置面１に設置しても、仕切り板４０の下辺と設置面１との隙間の高さを一定に保つことができ、使い勝手が良い（立方体以外だと、高さが変動する）。
【００９０】
また、この実施形態においては、本体２０は石材からなり、保持溝３０の内面３１を除く外面が、研磨された面をなしている。これによれば、本体２０は石材からなるので、本体２０を十分な重さとすることができ、仕切り板４０を安定して支持することができると共に、保持溝３０の内面３１を除く外面が、研磨された面をなしているので、テーブル等の接地面に設置したとき、接地面が傷つくことを防止できる。また、見栄えが良く高級感が増すため、例えば、高級な店舗等に利用しても違和感を生じにくくすることができる。
【００９１】
一方、パーテーション１００は、上記構造をなした支持ブロック１０と、同支持ブロック１０の保持溝３０に縁部４１を挿入されて支持される仕切り板４０とを備えている。これによれば、上述の支持ブロック１０と同様に、仕切り板４０の縁部４１を保持溝３０に挿入保持することで、仕切り板４０の下辺を、設置面１に対して、当接した状態、或いは、所定の隙間を空けた状態で支持することができ、利用目的に応じて、仕切り板４０の支持態様を適宜変更することができ、使い勝手を向上させることができる。
【００９２】
また、この実施形態においては、図３に示すように、支持ブロック１０の保持溝３０の内面３１と、仕切り板４０の縁部４１の外面との間に介装される、クッション性を有するシート部材５０を更に備えている。そのため、支持ブロック１０の保持溝３０の内面３１と、仕切り板４０の縁部４１の外面との間に、多少の隙間があっても、その隙間にクッション性を有するシート部材５０が変形しつつ入り込むため、保持溝３０内に、仕切り板４０の縁部４１をガタツキを少なくした状態で支持することができる。また、仕切り板４０を、支持ブロック１０の保持溝３０内に挿入する際、仕切り板４０の縁部４１の外面が、シート部材５０で保護されるので、仕切り板４０の縁部４１の外面を、傷つきにくくすることができる。
【００９３】
更に、この実施形態においては、図５に示すように、支持ブロック１０の保持溝３０が上下方向を向いた状態で、仕切り板４０の縁部４１を保持溝３０に挿入する際、保持溝３０の下方部分に挿入されて、仕切り板４０の縁部４１を受けることにより、仕切り板４０が設置面１から所定距離だけ離れて支持されるようにする調整板６０を更に備えている。これによれば、上記のような調整板６０を更に備えているので、図５や図６に示すように、保持溝３０を上下方向に向けた状態で、本体２０を設置面１に設置した場合でも、仕切り板４０の下辺と設置面１との間に、所定の隙間を設けた状態で支持することができる。また、調整板６０の高さを適宜変更することで、仕切り板４０の下辺と設置面１との間の、隙間の寸法を、柔軟に調整することができる。
【００９４】
なお、本考案は、上述した実施形態に限定されるものではなく、本考案の要旨の範囲内で、各種の変形実施形態が可能であり、そのような実施形態も本考案の範囲に含まれる。
【符号の説明】
【００９５】
１  設置面
１０，１０Ａ  パーテーション用支持ブロック（支持ブロック）
２０  本体
２１  側面
２３  端面
２５  第１対向辺
２７  第２対向辺
２９  中央部
３０  保持溝
３１  内面
４０  仕切り板
４１  縁部
５０，５５  シート部材
６０  調整板
１００，１００Ａ  パーテーション
【図１】
0003228285.tif 000003
【図２】
0003228285.tif 000004
【図３】
0003228285.tif 000005
【図４】
0003228285.tif 000006
【図５】
0003228285.tif 000007
【図６】
0003228285.tif 000008
【図７】
0003228285.tif 000009